(57)【要約】少なくとも２つの音源に対する音量制御用装置は、ラウドネスアナライザおよび音量レギュレータを備える。このラウドネスアナライザは、ある時間帯にわたって２つの音源のうちの第１の音源および第２の音源の音声信号を分析し、第１のラウドネス値および第２のラウドネス値をそれぞれ、時間帯の関数として測定し、それらを第１の音源および第２の音源と関連付けながら、同じように各ラウドネス値を記憶するように構成される。この音量レギュレータは、対応する第１のラウドネス値と第２のラウドネス値のうち少なくとも一方に基づいて、２つの音源のうちの、現在選択されている第１の音源と第２の音源のうち少なくとも一方の当該音声信号を適応させるように構成される。【選択図】図１ａ
2018528705.tif 000002
【特許請求の範囲】
【請求項１】
少なくとも２つの音源（ＡＱ１、ＡＱ２）のための音量制御用装置（１０）であって、
前記２つの音源（ＡＱ１、ＡＱ２）のうちの第１の音源の音声信号をある時間帯にわたって分析し該時間帯の関数として第１のラウドネス値（ＬＷ１）を測定し、前記ラウドネス値と前記２つの音源（ＡＱ１、ＡＱ２）のうちの前記第１の音源と関連付けながら前記ラウドネス値を記憶し、前記２つの音源（ＡＱ１、ＡＱ２）のうちの第２の音源の音声信号をある時間帯にわたって分析し該時間帯の関数として第２のラウドネス値（ＬＷ２）を測定し前記ラウドネス値と前記２つの音源（ＡＱ１、ＡＱ２）のうちの前記第２の音源と関連付けながら前記ラウドネス値を記憶するように構成されるラウドネスアナライザ（１２）と、
前記対応する第１のラウドネス値と第２のラウドネス値のうち少なくとも一方（ＬＷ１，ＬＷ２）に基づいて、前記２つの音源（ＡＱ１、ＡＱ２）のうちの、前記現在選択されている第１の音源と第２の音源のうち少なくとも一方の前記音声信号を適応するように構成される音量レギュレータ（１４）と、を備える音量制御用装置。
【請求項２】
前記少なくとも２つの音源（ＡＱ１、ＡＱ２）が同じタイプの異なる音源（ＡＱ１、ＡＱ２）であるか、または前記２つの音源（ＡＱ１、ＡＱ２）が２つの異なるラジオ局であるかのうち少なくとも一方である、請求項１に記載の装置（１０）。
【請求項３】
前記第１のラウドネス値と第２のラウドネス値のうちの少なくとも一方が、前記２つの音源（ＡＱ１、ＡＱ２）のうちの前記第１の音源と第２の音源のうちの少なくとも一方の前記測定されたラウドネス値の前記時間帯にわたる平均値を表す、請求項１または２に記載の装置（１０）。
【請求項４】
学習フェーズにおける前記時間帯は、各音源（ＡＱ１、ＡＱ２）に対して少なくとも３０秒、好ましくは少なくとも６０秒または１５０秒に達し、前記ラウドネスアナライザ（１２）は、ラウドネス値（ＬＷ１，ＬＷ２）が前記それぞれの音源（ＡＱ１、ＡＱ２）に対していまだ記憶されていない場合に、前記学習フェーズを実行する、請求項１〜３のいずれかに記載の装置（１０）。
【請求項５】
前記ラウドネスアナライザ（１２）は、前記学習フェーズの間中、前記２つの音源（ＡＱ１、ＡＱ２）のうちの前記選択された第１の音源と第２の音源のうちの少なくとも一方の前記音声信号を分析し、前記２つの音源（ＡＱ１、ＡＱ２）のうちの前記現在選択されている第１の音源と第２の音源のうちの少なくとも一方の前記音声信号に対する暫定ラウドネス値または現在の暫定ラウドネス値を測定するように構成され、
前記音量レギュレータ（１４）は、前記暫定ラウドネス値または前記現在の暫定ラウドネス値に基づいて、前記２つの音源（ＡＱ１、ＡＱ２）のうちの前記現在選択されている第１の音源と第２の音源のうちの少なくとも一方の前記音声信号を適応するように構成される、請求項１〜４に記載の装置（１０）。
【請求項６】
前記第１のラウドネス値と第２のラウドネス値のうちの少なくとも一方（ＬＷ１，ＬＷ２）が、動作中に変化せずに留まる、請求項１〜５のいずれかに記載の装置（１０）。
【請求項７】
適応フェーズ中の前記時間帯が、前記それぞれの局に対して、少なくとも５秒、または好ましくは少なくとも６０秒または３００秒に達し、前記ラウドネスアナライザ（１２）は、前記適応フェーズ中に前記第１のラウドネス値と第２のラウドネス値のうちの少なくとも一方（ＬＷ１，ＬＷ２）を適応する、請求項１〜５のいずれかに記載の装置（１０）。
【請求項８】
前記第１のラウドネス値と第２のラウドネス値のうちの少なくとも一方（ＬＷ１，ＬＷ２）は、前記２つの音源（ＡＱ１、ＡＱ２）のうちの前記第１の音源の前記音声信号の、前記適応の後に結果として生じる、前記平均ラウドネスと平均音量のうちの少なくとも一方が、＋／−１０％の偏差を有して、前記２つの音源（ＡＱ１、ＡＱ２）のうちの前記第２の音源の前記音声信号の、前記適応の後に結果として生じる、前記ラウドネスと音量のうちの少なくとも一方と等しくなるように選択される、請求項１〜７のいずれかに記載の装置（１０）。
【請求項９】
前記第１の値と第２の値のうちの少なくとも一方の適応（１３０）は、前記適応フェーズ中に、それぞれのさらなる第１のラウドネス値とさらなる第２のラウドネス値のうちの少なくとも一方（ＬＷ１，ＬＷ２）が測定され、前記それぞれの第１のラウドネス値と第２のラウドネス値のうちの少なくとも一方（ＬＷ１，ＬＷ２）を適応するため、前記それぞれのさらなる第１のラウドネス値とさらなる第２のラウドネス値のうちの少なくとも一方（ＬＷ１，ＬＷ２）の総量が、前記それぞれの第１のラウドネス値と第２のラウドネス値のうちの少なくとも一方（ＬＷ１，ＬＷ２）の総量に対して相殺されるように実行される、請求項７または８に記載の装置（１０）。
【請求項１０】
前記相殺は、前記それぞれの第１のラウドネス値と第２のラウドネス値のうちの少なくとも一方（ＬＷ１，ＬＷ２）の重み付け、および前記それぞれのさらなる第１のラウドネス値とさらなる第２のラウドネス値のうちの少なくとも一方（ＬＷ１，ＬＷ２）の重み付けを包含し、前記重み付けは、前記それぞれのさらなる第１のラウドネス値とさらなる第２のラウドネス値のうちの少なくとも一方（ＬＷ１，ＬＷ２）が、前記それぞれの記憶された第１のラウドネス値と第２のラウドネス値のうちの少なくとも一方（ＬＷ１，ＬＷ２）よりも、前記それぞれの新しい第１のラウドネス値と新しい第２のラウドネス値のうちの少なくとも一方（ＬＷ１，ＬＷ２）に対する影響がより小さくなるように選択される、請求項９に記載の装置（１０）。
【請求項１１】
新しいそれぞれの第１のラウドネス値と第２のラウドネス値のうちの少なくとも一方（ＬＷ１，ＬＷ２）が測定され、前記それぞれのさらなる第１のラウドネス値とさらなる第２のラウドネス値のうちの少なくとも一方（ＬＷ１，ＬＷ２）が、前記それぞれの記憶された第１のラウドネス値と第２のラウドネス値のうちの少なくとも一方（ＬＷ１，ＬＷ２）から、少なくとも２％だけ偏移している場合にのみ記憶される、請求項９または１０に記載の装置（１０）。
【請求項１２】
前記ラウドネスアナライザ（１２）は、前記２つの音源（ＡＱ１、ＡＱ２）のうちの前記現在選択されている第１の音源と第２の音源のうちの少なくとも一方の前記音声信号を分析するように構成される、請求項１〜１１のいずれかに記載の装置（１０）。
【請求項１３】
請求項１〜１２のいずれかに記載の装置（１０）を備えるラジオチューナ（４０）。
【請求項１４】
前記ラジオチューナ（４０）は、ダブルチューナとして構成される、請求項１３に記載のラジオチューナ（４０）。
【請求項１５】
前記ラウドネスアナライザ（１２）は、前記現在選択されていない第１の音源と第２の音源のうちの少なくとも一方（ＡＱ１、ＡＱ２）の前記音声信号を分析するように構成される、請求項１〜１４のいずれかに記載の装置（１０）。
【請求項１６】
少なくとも２つの音源（ＡＱ１，ＡＱ２）のための音量制御用方法（１００）であって、
前記２つの音源（ＡＱ１，ＡＱ２）のうちの第１の音源の音声信号をある時間帯にわたって分析し、その時間帯の関数として第１のラウドネス値（ＬＷ１）を測定し、前記第１の音源（ＡＱ１，ＡＱ２）と関連付けながら、前記第１のラウドネス値（ＬＷ１）を記憶するステップ（１１０）と、
前記２つの音源（ＡＱ１，ＡＱ２）のうちの第２の音源の音声信号をある時間帯にわたって分析し、その時間帯の関数として第２のラウドネス値（ＬＷ２）を測定し、前記第２の音源（ＡＱ１，ＡＱ２）と関連付けながら、前記第２のラウドネス値（ＬＷ２）を記憶するステップ（１２０）と、
前記それぞれの第１のラウドネス値と第２のラウドネス値のうちの少なくとも一方（ＬＷ１，ＬＷ２）に基づいて、前記第１の音源と第２の音源のうちの少なくとも一方（ＡＱ１，ＡＱ２）の前記音声信号の音量を適応させるステップ（１３０）と、を含む方法。
【請求項１７】
コンピュータプログラムであって、前記プログラムがコンピュータ上で実行される場合、請求項１６に記載の前記方法（１００）を実行するためのプログラムコードを含むコンピュータプログラム。
【発明の詳細な説明】
【技術分野】
【０００１】
本発明の実施形態は、少なくとも２つの音源に対する音量を制御するための装置および方法、ならびに対応する音量制御を備えるラジオチューナに関し、これらの実施形態はまた、２段階ラウドネス正規化として言及されることもある。さらなる実施形態は、音量制御の方法、またはラウドネス正規化を実行するための対応するコンピュータプログラムに関する。
【背景技術】
【０００２】
様々なラジオ局の知覚される音量、またはラウドネスは、局によって異なる。Ｂａｙｅｒｎ  ３またはＡｎｔｅｎｎｅ  Ｂａｙｅｒｎ［訳注：独国、Ｂａｖａｒｉａ連邦州の地方ラジオ局］などのいわゆるメインストリーム局は、Ｂａｙｅｒｎ  Ｋｌａｓｓｉｋなどのクラシック音楽局と比較してかなりより大きな音で知覚される。
【０００３】
現在では、当該違いを、音量つまみの手段により手動で再調整することによって等化される。長期的に見れば、このことは、ユーザにとって煩わしいかもしれない。ラジオが車両の内部で聞かれる場合、運転者は、手動で再調整を実行している間、必然的に交通状況から注意をそらすため、このことは、安全性の面から関連があるとさえ言えるであろう。
【発明の概要】
【発明が解決しようとする課題】
【０００４】
信号の機能として、音量、またはラウドネスを（適応的に）調整するいくつかの方法がすでに存在している。例えば、ＩＴＵ標準ＢＳ．１７７０には、ラウドネスの聴覚補償の計測方法が記載されている。当該方法の欠点は、音声信号が傾聴の間ずっと適応されることである。「ポンピング」（耳に聞こえる高速音量適応）、破裂音を伴う強力な再調整、またはダイナミクスの減少などのアーチファクトが生じる。
【０００５】
それらの各々の性質により、当該方法は、透明感のある混じり気のない音響再生の要件を満たすことができない。したがって、車両内の最高級音響システムなどのハイファイ要件を必要とする分野では、例えば当該アルゴリズムは採用されない。米国特許出願第２０１０／００４６７６５号明細書には、ボリューム制御に対するアプローチが開示されている。ここでの制御は、入力当たりの平均値と短期再調整に基づいている。米国特許出願第２０１４／０１４５３７号明細書は、ラウドネスのレベルを継続的に再調整する複数の入力に対するラウドネス制御に関する。いずれのアプローチでも、ユーザは前記再調整が行われていることに気付き得る。したがって、改良された方法が必要とされる。
【０００６】
本発明の目的は、音響再生を実質的に混じり気のないまま残す自動音量制御の概念を提供することである。
【０００７】
本目的は、独立請求項により達成される。
【課題を解決するための手段】
【０００８】
本発明の実施形態は、少なくとも２つの音源、例えば２つのラジオ局（無線送信機）に対する音量制御用装置を提供する。この装置は、ラウドネスアナライザおよび音量レギュレータを備える。このラウドネスアナライザは、その２つの音源のうちの第１の音源、すなわち例えば、ある時間帯（例えば、１〜５分の）にわたって第１の局の音声信号を分析し、その時間帯に関しての関数として第１のラウドネス値を測定し、そして当該ラウドネス値と２つの音源のうちの第１の音源を関連付けながら、当該ラウドネス値を記憶するように構成される。さらに、ラウドネスアナライザは、その２つの音源のうちの第２の音源、すなわち例えば、ある時間帯（例えば、同じ時間帯でもよい）にわたって第２の局の音声信号を分析し、その時間帯に関しての関数として第２のラウドネス値を測定し、そして当該ラウドネス値と２つの音源のうちの第２の音源を関連付けながら、当該ラウドネス値を記憶するように構成される。音量レギュレータは、関連付けられた第１および／または第２のラウドネス値に基づいて、２つの音源のうちの現在選択されている第１および／または第２の音源の音声信号を適応させるように構成される。
【０００９】
本発明の基礎をなす知見は、最初に異なる音源またはラジオ局をそれらのラウドネスに関して分析することと、次いで、各関連付けられた音源の分析結果の関数として各音源または各局の音量制御を選択するように、当該分析に基づいて対応するラウドネス情報（ラウドネス値）を記憶することで構成される。その音源に対して確実に代表的な平均値を取得するため、分析は、例えば５分の比較的長い時間帯にわたって実行されることが好ましい（必ずしも必要ではないが）。第２のステップにおける音量制御は、再生の間中その結果により生じる音声信号が、第１および第２の音源に対しておおむね同じ音量またはラウドネスを有するように実行されることが好ましい。またその結果、この文脈の中で正規化に関して述べることも可能となる。この方法は、たとえ数分でなくても通常数秒かかる分析という手段により良好な平均値が取得され、また「ポンピング」および／または「セトリング」などの上述した不利な影響は生じないという利点を有する。このように、音声信号のダイナミクスレンジもまた維持される。各音源が、その各音源と関連付けられそして記憶されるラウドネス値を有するという事実により、正しい音量選択が、言ってみれば音源の選択と同時に、または切り替え最中（遅延無し）にもたらされることが可能となる。
【００１０】
上に例示された手順は、ラウドネス正規化におけるメインステージとみなされることができる。また、ある局を最初に選択する際に許容可能な正規化を達成するため、その局はその局と関連付けられるラウドネス値を有してはいないが、短期間の正規化は、プレステージの間中、現在測定されているラウドネス値に基づいて行われることができる。このことは、本方法が、さらなる実施形態に基づいて、暫定ラウドネス値を測定するステップ、および当該暫定ラウドネス値または現在測定されている暫定ラウドネス値に基づいて、現在選択されている音源（局）の音量を正規化するステップを含む理由である。プレステージの間中、当該音量の正規化がそのような時間の間ずっと実行されると、その後、ラウドネス値が、代表的な時間帯（音源毎の学習フェーズ）の範囲にわたって測定され、そして記憶される。当該実施形態によれば、音量の正規化は、プレステージおよびメインステージにさらに分割されるため、自動式２段階音量制御（または２段階ラウドネス正規化）に関しても述べることができる。
【００１１】
さらなる実施形態によれば、各音源に対するラウドネス値は、ひとたび測定されそして記憶されると、その音源の動作中ずっと例外的な場合において更新される。この目的のため、音源を選択している間中、そのラウドネスは分析され、万一顕著な偏差がある場合には、ラウドネス値は更新され、そして新たに記憶される。いくつかの実施形態によれば、当該更新は、当該更新がそのラウドネス値、したがって音量適応にほとんど影響を与えないように実行される。その結果、学習フェーズ後に音量の可聴適応は存在しないが、一方、それにもかかわらず、音源内に何らかの変化がある場合には、それに応じて当該変化が考慮に入れられるであろうことが確実に保証される。いくつかの実施形態によれば、ある種の重み付けの効果が本文脈上において与えられ、次いで当該重み付けは、適応フェーズの間中のラウドネス値の適応性が、学習フェーズのラウドネス値の適応性よりも小さく与えられるように選択されるべきである。さらなる実施形態によれば、ラウドネス値の調整は、新しく測定されるラウドネス値が、記憶されているラウドネス値から著しく偏移する場合においてのみ実行されることができる。当該顕著な偏差は、百分率に換算して２％または１０％であると表示されることができる。
【００１２】
さらなる実施形態によれば、ラウドネス値を更新する当該ステップ、および／または、まださらなる実施形態によれば、新音源（局）の新しいラウドネス値を測定する当該ステップは、アナライザに対する技術的事前要求が与えられる場合、バックグラウンドで実行されることができる。ラジオチューナを例に取ると、このことは特に、第２のチューナ部が、バックグラウンドで第２の局を受信しそしてそれを分析するように提供されることを意味する。それら２つの実施形態は、局を切り替える瞬間に、直ちに測定されるまたは更新されるラウドネス値が存在し、その結果、ラウドネス値が有効に正規化されることができるという利点を有する。
【００１３】
さらなる実施形態は、前述した音量制御用装置を備えるラジオチューナに関する。さらなる実施形態によれば、当該ラジオチューナはまた、２つのチューナユニットを備えることもできる。
【００１４】
さらなる実施形態の1つは、音量制御のための対応する方法に関し、この方法は、以下のステップ、すなわち、２つの音源のうちの第１の音源の音声信号を分析しそして対応するラウドネス値を記憶するステップと、２つの音源のうちの第２の音源の音声信号を分析しそして対応するラウドネス値を記憶するステップと、ならびにそれぞれの第１および／または第２のラウドネス値に基づいて、第１および／または第２の音源の音声信号の音量を適応させるステップを含む。さらなる実施形態に基づいて、当該方法はまた、コンピュータプログラムにより実行されることもできる。
【００１５】
さらなる実施態様が、下位請求項において定義される。実施形態は、添付図面を参照しながら、以下に記載される。
【図面の簡単な説明】
【００１６】
【図１ａ】１つの実施形態に基づく、音量制御用装置を示す図である。
【図１ｂ】さらなる１つの実施形態に基づく、音量制御の対応する方法を示す図である。
【図２】実施態様に基づく、音量制御のための対応する装置を備えるラジオチューナを示す図である。
【発明を実施するための形態】
【００１７】
本発明の実施形態が、図を参照しながら以下に詳細に説明される前に、同一の構成要素および構造体、または機能上同一の構成要素および構造体は、同一の参照番号で示され、それらの説明は、相互に適用可能であり、および／または交換可能であることに注意すべきである。
【００１８】
図１ａは、少なくとも２つの音源ＡＱ１およびＡＱ２の音量制御のための装置１０を示す図である。この装置１０は、ラウドネスアナライザ１２および音量レギュレータ１４を備える。さらに、この装置１０はまた、メモリ１６も備える。このラウドネスアナライザ１２は、入力側上に配設され、すなわち、ラウドネスアナライザが音源ＡＱ１およびＡＱ２に切り替え可能に接続されることができるように配設されている。ＡＱ１およびＡＱ２の信号は、音響アナライザ１２により音量レギュレータ１４に送られるか、またはバイパスされるかのどちらか一方である。
【００１９】
異なる音源ＡＱ１およびＡＱ２は、例えば２つの異なるラジオ局を表し得るが、例えばラジオチューナを手段とするかまたはプリアンプを手段とするかして切り替えられるＣＤおよびラジオなどの他の入力源も表し得る。音源ＡＱ１またはＡＱ２の（デジタルまたはアナログ）音声信号は、ラウドネスアナライザ１２によって受信され、このラウドネスアナライザは、例えば６０秒または３００秒もしくはそれを超える時間帯にわたって当該信号を分析し、そして各音源ＡＱ１およびＡＱ２と関連付けられたラウドネス値を、時間帯に関しての関数として測定する。長い時定数（例えば、１〜５分）により、実際のラウドネスに相当するラウドネス（ＬＷ１またはＬＷ２）のその平均値は、当該局または音源に対して計算されることができる。
【００２０】
測定されたラウドネス値（音源ＡＱ１に対するＬＷ１、および音源ＡＱ２に対するＬＷ２）は、メモリ１６の中に記憶される。このメモリ１６は通常、不揮発性メモリであり、その結果、ラウドネス値ＬＷ１またはＬＷ２は、切り替えオフおよび切り替えオンの後でさえも保存されることになろう。また、メモリ１６は、例えば最後に調整された短符号の局選択ボタンまたは音量を記憶するように、ほとんどの場合、ラジオチューナ内部にすでに設置されているというこの点にも注意すべきである。音量レギュレータ１４は、今のところ、記憶されたラウドネス値ＬＷ１またはＬＷ２に基づいて、選択された音源ＡＱ１またはＡＱ２の音声信号を直接適応させる。
【００２１】
この装置１０の当該動作はまた、図１ｂに示される方法１００の手段により説明されることもできる。この方法１００は、ステップ１１０およびステップ１２０を含み、これらのステップは、別のステップと並行して、または一方のステップの後に別のステップを、（すなわち、現在選択されている音源（ＡＱ１またはＡＱ２）によって、異なる時期に）実行することができる。ステップ１１０は、音源ＡＱ１を分析するステップ、そしてラウドネス値ＬＷ１を記憶するステップに関連するのに対して、ステップ１２０は、音源ＡＱ２を分析するステップ、そしてラウドネス値ＬＷ２を記憶するステップに関連する。記憶された値ＬＷ１およびＬＷ２に基づいて、第３のステップ１３０は、それぞれ選択された音源の音量を適応させるステップを含む。
【００２２】
すでに上述したように、第１のステップにおいて実行されたラウドネス測定およびその適応は、ゆっくりとした制御時間と関連付けられ、その結果、ステップ３０において起こる音量の変化は、ほとんど聞き取ることができない。このように、上述した短所は、避けられることが可能となる。
【００２３】
それぞれの音源ＡＱ１およびＡＱ２が、後ほど再度選択される場合、ステップ１３０は、音量レベルを等化するために繰り返されることができる。局を頻繁に選択するステップが、特定のラジオ局の、ばらつきのない基本的な音量、または平均音量を極めて長い時間帯（数ヶ月〜数年まで）にわたって維持するという想定に基づく場合、音量値ＬＷ１およびＬＷ２の当該利用は、いわゆる学習フェーズの間中、その音量を等化するために測定され続ける。音量値ＬＷ１およびＬＷ２を記憶するステップ、ならびにステップ１３０を実行するステップにより、任意の局から、事前に記憶されたラウドネス値、出力において直ちに生じる音量の正規化を有する局に切り替えることができるという利点が提供される。その結果、ここでは適応は必要とされず、したがって、ダイナミクスを維持しながら、透明感のある音楽を楽しむことが保証される。
【００２４】
また、学習フェーズの最中にも音量の正規化を可能とするため、すなわち、例えば最初にある局を選択する場合、まだラウドネス値を測定するができていない場合、短期間の制御はまた、いわゆるプレステージの間中実行されることもできる（前述された音量正規化におけるメインステージと比較すると）。この目的を達成するため、暫定ラウドネス値は、飛行のプレステージで、すなわち、局の選択の最初の瞬間を基準として測定され、その音量は当該（現在の）ラウドネス値に基づいて制御される。プレステージにおける当該短期間制御は、結果として現在の音源の粗悪化をもたらし得るが、特にダイナミクスレンジに関しては、正規化は、各時間点および各音源に対しこのようにして保証されることができる。
【００２５】
このプレステージの音量正規化は、現在の音源の学習フェーズが完了するまでの時間、例えば６０秒〜３００秒までの時間中ずっと実行され、その結果、メインステージに切り替えることができ、少なくともステップ１１０またはステップ１２０はそのプレステージと並行して実行される。
【００２６】
方法１００、ならびに特にステップ１１０およびステップ１２０は、互いに並行して描かれており、特にその理由は、図２を参照しながら説明されるように、ラウドネス値ＬＷ１およびＬＷ２を測定するステップが、さらなる実施形態に基づいて、音源ＡＱ１および音源ＡＱ２を同時に分析する（すなわち、１つの音源に対しては、バックグラウンドにおいて）ことによってもたらせ得るというこの点に注意すべきである。
【００２７】
さらなる実施形態によれば、ステップ１１０およびステップ１２０は、当初、すなわちいわゆる学習フェーズの最中はもちろんのこと、永続的な動作の最中においても実行される。時間と共にラジオ局の音量において起こり得る変化に対処することができるように、測定はバックグラウンドで受動的に進められる。その測定値が、比較的長い時間帯にわたって、記憶された値から偏移する場合、慎重な再調整が実行されることができる。しかしながら、当該再調整は、音楽のダイナミクスにおいて、それほど顕著な介入を意味するものではない。
【００２８】
図１ａを参照すると、また、もう１つの選択肢として、音声信号ＡＱ１および／またはＡＱ２の実際の適応が装置１０内部で実行されないようにし、現在選択された音声信号の音量を適応させるために、音量レギュレータ１４の手段を使って、装置１０は単に音量制御信号を発するのみとすることが可能であることにも注意すべきである。
【００２９】
図２は、さらなる実施形態、すなわち第１のチューナ部４２を備えるラジオチューナ４０を示す図である。この第１のチューナ部４２は、アンテナ４４に接続され、このため、チューナ４２の手段を使って対応するキャリア周波数に切り替えることにより、いくつかのラジオ局（ラジオ送信機）または電波源ＡＱ１およびＡＱ２を受信しおよび／または選択することができる。図１ａに説明されているように、音量制御のための装置１０は、ラジオチューナ４２からダウンストリームの方へ接続されている。
【００３０】
さらなる実施形態によれば、ラジオチューナ４０は、第２の、並列のチューナ部４２’を備えることができ、この第２のチューナ部はまたアンテナ４４に接続され、とりわけこれを使って、ラウドネスアナライザ１２が、第１の電波源（例えば、電波源ＡＱ１）を現在受信するのと並行して第２の電波源（例えば、ＡＱ２）を受信し、そしてその電波源のラウドネスに関して同様に分析することを達成する。その結果、学習フェーズは、通常１〜５分かかるが、都合のよいことにバックグラウンドで実行されることが可能である。例えば、このような並行チューナ部（ラジオ受信機）は、現在の高級な車両では標準的である。現在、当該第２のラジオチューナのタスクは、現在の局の音声再生を中断することなく、バックグラウンドで利用可能なラジオ局を調べるステップで構成される。見出されたラジオ局は、ほとんどの場合、利用局一覧としてＨＭＩ（車内にあるディスプレイ）にラジオ局の名前（ＲＤＳ）と共に表示される。したがって、当該並行チューナ４２’を使って、見出されたラジオ局のラウドネスを測定することができる。当該局のいずれかに切り替えると、計算されたラウドネス値ＬＷはすでに利用可能であり、その結果、前述したように、音量制御は、実行される必要がある可聴調整をすることなく、動作することができる。
【００３１】
当該第２のチューナ４２は、その後者がバックグラウンドで動作しているため、学習時間を短縮するまたは回避するのに役立つだけでなく、記憶されているラウドネス値を更新するため、ラウドネス値がすでに記憶されている局を評価するために採用されることもできる。
【００３２】
上記の実施形態では、音源は常にラジオ局であると仮定されているが、本明細書で提案された概念は、例えば平均して同じ値に留まるラウドネスを備える他のいかなる音源にもまた適用可能である。
【００３３】
上述の長時定数、例えば１分から数分まで、または１時間から数時間まで、または数日間はより短くすることもでき、この場合、最初の利用期間中に可聴調整が起こる欠点を考慮に入れる必要があるというこの点に、もう一度注意すべきである。したがって、このように、音量は、局が再びチューニングされる場合、事前調整されるであろう。
【００３４】
上述の実施形態は、常に１つの装置に関する文脈内で説明されているが、さらなる実施形態は、局によって提供された音声信号の音量、またはラウドネスを適応させる方法を提供し、その方法には、他の任意の局から当該局に切り替えるステップの中でその局の実際のラウドネスの値を測定するように、既知の手順、ただし短縮された制御時間に基づいて、ラウドネスの測定および調整を実行するステップと、正規化された音量と共に音声信号を出力するための測定されたラウドネス値を利用するステップが含まれる。
【００３５】
いくつかの態様が、１つの装置に関する文脈内で説明されてきたが、当該態様もまた、その対応する方法の説明を代弁するものと理解され、その結果、装置のブロックまたは構造上の構成要素もまた、対応する方法のステップとして、または方法のステップの特徴として理解されるべきである。それとの類推から、方法のステップに関する文脈内で説明されてきた態様、または方法のステップとして説明されてきた態様はまた、対応するブロックもしくは詳細の説明、または対応する装置の特徴も代弁している。いくつかのまたはすべての方法のステップは、マイクロプロセッサ、プログラム可能なコンピュータ、または電子回路などのハードウエア装置によって（またはハードウエア装置を使いながら）実行されることができる。いくつかの実施形態では、いくつかのまたは数個の最も重要な方法のステップは、そのような装置により実行されることができる。
【００３６】
実施態様の要件によって、本発明の実施形態は、ハードウエア内またはソフトウエア内で実現されることができる。実施態様は、デジタル記憶媒体、例えばフロッピーディスク、ＤＶＤ、ブルーレイディスク、ＣＤ、ＲＯＭ、ＰＲＯＭ、ＥＰＲＯＭ、ＥＥＰＲＯＭもしくはＦＬＡＳＨメモリ、ハードディスク、または他の任意の磁気メモリもしくは光メモリを使って実行できる。当該デジタル記憶媒体は電子的に読み込み可能な制御信号を有し、当該制御信号は、それぞれの方法が実行されるように、プログラム可能なコンピュータシステムと協同できるか、または実際に協同するものである。このようにして、デジタル記憶媒体はコンピュータ読み取り可能である。
【００３７】
このため、本発明に基づくいくつかの実施形態は、本明細書に記載の任意の方法が実行されるように、プログラム可能なコンピュータシステムと協同することができる電子的に読み込み可能な制御信号を備えるデータキャリアを含む。
【００３８】
一般に、本発明の実施形態は、プログラムコードを有するコンピュータプログラム製品として実装されることができ、このプログラムコードは、コンピュータプログラム製品がコンピュータ上で実行されるときに任意のこれらの方法を実行するのに有効である。
【００３９】
また、このプログラムコードは、例えば機械可読キャリア上に記憶されることもできる。
【００４０】
他の実施形態は、本明細書に記載された任意の方法を実行するためのコンピュータプログラムを含み、当該コンピュータプログラムは、機械可読キャリア上に記憶される。
【００４１】
したがって、言い換えると、本発明の方法の１つの実施形態は、本明細書に記載された任意の方法を実行するためのプログラムコードを有するコンピュータプログラムであり、このコンピュータプログラムがコンピュータ上で実行されると、当該方法が実行される。
【００４２】
このため、本発明の方法のさらなる１つの実施形態は、本明細書に記載された任意の方法を実行するためのコンピュータプログラムが記録されているデータキャリア（またはデジタル記憶媒体またはコンピュータ可読媒体）である。
【００４３】
このため、本発明の方法のさらなる１つの実施形態は、本明細書に記載された任意の方法を実行するためのコンピュータプログラムを表すデータストリームまたは一連の信号である。このデータストリームまたは一連の信号は、例えばデータ通信リンクを経由して、例えばインターネットを経由して転送されるように構成されることができる。
【００４４】
さらなる１つの実施形態は、処理手段となる、例えばコンピュータまたはプログラム可能論理回路デバイスを含み、これらは本明細書に記載された任意の方法を実行するように構成されまたは適応される。
【００４５】
さらなる１つの実施形態は、本明細書に記載された任意の方法を実行するためのコンピュータプログラムがインストールされているコンピュータを含む。
【００４６】
本発明に基づくさらなる１つの実施形態は、本明細書に記載された方法のうちの少なくとも１つを実行するためのコンピュータプログラムを受信機に送信するように構成された装置またはシステムを含む。この送信は、例えば電子的または光学的であってもよい。この受信機は、例えばコンピュータ、携帯型デバイス、メモリデバイス、または類似のデバイスであってもよい。このデバイスまたはシステムは、例えばコンピュータプログラムを受信機に送信するためのファイルサーバを含んでもよい。
【００４７】
いくつかの実施形態では、プログラム可能論理回路デバイス（例えば、フィールドプログラマブルゲートアレイ、ＦＰＧＡ）を使って、本明細書に記載された方法の機能性のうちのいくつかまたはすべてを実行することができる。いくつかの実施形態では、フィールドプログラマブルゲートアレイは、マイクロプロセッサと協同して本明細書に記載された任意の方法を実行することができる。一般に、これらの方法は、いくつかの実施形態では、任意のハードウエアデバイスによって実行される。当該ハードウエアデバイスは、コンピュータプロセッサ（ＣＰＵ）などの任意の汎用的に適用可能なハードウエアとしてもよく、またはＡＳＩＣなどの本方法に特化したハードウエアであってもよい。
【００４８】
上述した実施形態は、本発明の原理の例示を単に表しているにすぎない。当業者は、本明細書に記載された配設および詳細に関する改善および変形を認めることは、理解されるであろう。このことは、本発明が、実施形態の記載および議論により、本明細書に示されてきた具体的な詳細によってではなく、以下の請求項の範囲によってのみ制限されるべきであるよう意図されている理由である。
【図１ａ】
2018528705.tif 000003
【図１ｂ】
2018528705.tif 000004
【図２】
2018528705.tif 000005
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
少なくとも２つの音源（ＡＱ１、ＡＱ２）のための音量制御用装置（１０）であって、
前記２つの音源のうちの第１の音源（ＡＱ１）の音声信号をある時間帯にわたって分析し該時間帯の関数として第１のラウドネス値（ＬＷ１）を測定し、前記ラウドネス値と前記２つの音源のうちの前記第１の音源（ＡＱ１）と関連付けながら前記ラウドネス値を記憶し、前記２つの音源のうちの第２の音源（ＡＱ２）の音声信号をある時間帯にわたって分析し該時間帯の関数として第２のラウドネス値（ＬＷ２）を測定し、前記ラウドネス値と前記２つの音源のうちの前記第２の音源（ＡＱ２）と関連付けながら前記ラウドネス値を記憶するように構成されるラウドネスアナライザ（１２）と、
前記対応する第１のラウドネス値（ＬＷ１）に基づいて、前記２つの音源のうちの前記現在選択されている第１の音源（ＡＱ１）の前記音声信号を適応し、前記対応する第２のラウドネス値（ＬＷ２）に基づいて、前記２つの音源のうちの前記現在選択されている第２の音源（ＡＱ２）の前記音声信号を適応するように構成される音量レギュレータ（１４）と、を備え
学習フェーズにおける前記時間帯は、各音源（ＡＱ１、ＡＱ２）に対して少なくとも３０秒、好ましくは少なくとも６０秒または１５０秒に達し、前記ラウドネスアナライザ（１２）は、ラウドネス値（ＬＷ１，ＬＷ２）が前記それぞれの音源（ＡＱ１、ＡＱ２）に対していまだ記憶されていない場合に前記学習フェーズを実行し、
適応フェーズ中の前記時間帯が、前記それぞれの音源（ＡＱ１、ＡＱ２）に対して、少なくとも５秒、または好ましくは少なくとも６０秒または３００秒に達し、前記ラウドネスアナライザ（１２）は、前記適応フェーズ中に前記第１のまたは第２のラウドネス値（ＬＷ１，ＬＷ２）を適応し、
前記第１のラウドネス値（ＬＷ１）の適応（１３０）は、前記適応フェーズ中に、それぞれのさらなる第１のラウドネス値（ＬＷ１）が測定され、前記それぞれの第１のラウドネス値（ＬＷ１）の適応は、前記それぞれのさらなる第１のラウドネス値（ＬＷ１）の総量が、前記それぞれの第１のラウドネス値（ＬＷ１）の総量に対して相殺されるように実行され、前記第２のラウドネス値（ＬＷ２）の適応（１３０）は、前記適応フェーズ中に、それぞれのさらなる第２のラウドネス値（ＬＷ２）が測定され、前記それぞれの第２のラウドネス値（ＬＷ２）の適応は、前記それぞれのさらなる第２のラウドネス値（ＬＷ２）の総量が、前記それぞれの第２のラウドネス値（ＬＷ２）の総量に対して相殺されるように実行され、
前記相殺は、前記それぞれの第１のラウドネス値（ＬＷ１）の重み付け、および前記それぞれのさらなる第１のラウドネス値（ＬＷ１）の重み付けを包含し、前記相殺は、前記それぞれの第２のラウドネス値（ＬＷ２）の重み付け、および前記それぞれのさらなる第２のラウドネス値（ＬＷ２）の重み付けを包含し、前記重み付けは、前記適応フェーズ中の前記ラウドネス値の適応が、前記学習フェーズ中の前記ラウドネス値の適応より小さい重み付けを示すように選択され、
前記音源の動作中、新しいそれぞれの第１のラウドネス値（ＬＷ１）は、前記それぞれのさらなる第１のラウドネス値（ＬＷ１）が、前記それぞれの記憶された第１のラウドネス値（ＬＷ１）から、少なくとも２％だけ偏移している場合にのみ測定されかつ記憶され、前記音源の動作中、新しいそれぞれの第２のラウドネス値（ＬＷ２）は、前記それぞれのさらなる第２のラウドネス値（ＬＷ２）が、前記それぞれの記憶された第２のラウドネス値（ＬＷ２）から、少なくとも２％だけ偏移している場合にのみ測定されかつ記憶される装置（１０）。
【請求項２】
前記少なくとも２つの音源（ＡＱ１、ＡＱ２）が同じタイプの異なる音源（ＡＱ１、ＡＱ２）であるか、または前記２つの音源（ＡＱ１、ＡＱ２）が２つの異なるラジオ局である、請求項１に記載の装置（１０）。
【請求項３】
前記第１のラウドネス値が、前記２つの音源（ＡＱ１、ＡＱ２）のうちの前記第１の音源の前記測定されたラウドネスの前記時間帯にわたる平均値を表し、前記第２のラウドネス値が、前記２つの音源（ＡＱ１、ＡＱ２）のうちの前記第２の音源の前記測定されたラウドネスの前記時間帯にわたる平均値を表す、請求項１または２に記載の装置（１０）。
【請求項４】
前記ラウドネスアナライザ（１２）は、前記学習フェーズの間中、前記２つの音源（ＡＱ１、ＡＱ２）のうちの前記選択された第１の音源の前記音声信号を分析し、前記２つの音源（ＡＱ１、ＡＱ２）のうちの前記現在選択されている第１の音源の前記音声信号に対する暫定ラウドネス値または現在の暫定ラウドネス値を測定し、前記学習フェーズの間中、前記２つの音源（ＡＱ１、ＡＱ２）のうちの前記選択された第２の音源の前記音声信号を分析し、前記２つの音源（ＡＱ１、ＡＱ２）のうちの前記現在選択されている第２の音源の前記音声信号に対する暫定ラウドネス値または現在の暫定ラウドネス値を測定するように構成され、
前記音量レギュレータ（１４）は、前記暫定ラウドネス値または前記現在の暫定ラウドネス値に基づいて、前記２つの音源（ＡＱ１、ＡＱ２）のうちの前記現在選択されている第１の音源の前記音声信号を適応し、前記暫定ラウドネス値または前記現在の暫定ラウドネス値に基づいて、前記２つの音源（ＡＱ１、ＡＱ２）のうちの前記現在選択されている第２の音源の前記音声信号を適応するように構成される、請求項１〜３のいずれかに記載の装置（１０）。
【請求項５】
前記第１および第２のラウドネス値（ＬＷ１，ＬＷ２）が、動作中に変化せずに留まる、請求項１〜４のいずれかに記載の装置（１０）。
【請求項６】
前記第１のおよび第２のラウドネス値（ＬＷ１，ＬＷ２）は、前記２つの音源（ＡＱ１、ＡＱ２）のうちの前記第１の音源の前記音声信号の、前記適応の後に結果として生じる、前記平均ラウドネスまたは平均音量が、＋／−１０％の偏差を有して、前記２つの音源（ＡＱ１、ＡＱ２）のうちの前記第２の音源の前記音声信号の、前記適応の後に結果として生じる、前記ラウドネスまたは音量と等しくなるように選択される、請求項１〜５のいずれかに記載の装置（１０）。
【請求項７】
前記相殺は、前記それぞれの第１のラウドネス値（ＬＷ１）の重み付け、および前記それぞれのさらなる第１のラウドネス値（ＬＷ１）の重み付けを包含し、前記重み付けは、前記それぞれのさらなる第１のラウドネス値（ＬＷ１）が、前記それぞれの記憶された第１のラウドネス値（ＬＷ１）よりも、前記それぞれの新しい第１のラウドネス値（ＬＷ１）に対する影響がより小さくなるように選択され、前記相殺は、前記それぞれの第２のラウドネス値（ＬＷ２）の重み付け、および前記それぞれのさらなる第２のラウドネス値（ＬＷ２）の重み付けを包含し、前記重み付けは、前記それぞれのさらなる第２のラウドネス値（ＬＷ２）が、前記それぞれの記憶された第２のラウドネス値（ＬＷ２）よりも、前記それぞれの新しい第２のラウドネス値（ＬＷ２）に対する影響がより小さくなるように選択される、請求項１〜６のいずれかに記載の装置（１０）。
【請求項８】
前記ラウドネスアナライザ（１２）は、前記２つの音源（ＡＱ１、ＡＱ２）のうちの前記現在選択されている第１の音源と第２の音源のうちの少なくとも一方の前記音声信号を分析するように構成される、請求項１〜７のいずれかに記載の装置（１０）。
【請求項９】
請求項１〜９のいずれかに記載の装置（１０）を備えるラジオチューナ（４０）。
【請求項１０】
前記ラジオチューナ（４０）は、ダブルチューナとして構成される、請求項９に記載のラジオチューナ（４０）。
【請求項１１】
前記ラウドネスアナライザ（１２）は、前記現在選択されていない第１の音源と第２の音源のうちの少なくとも一方（ＡＱ１、ＡＱ２）の前記音声信号を分析するように構成される、請求項１〜１０のいずれかに記載の装置（１０）。
【請求項１２】
少なくとも２つの音源（ＡＱ１，ＡＱ２）のための音量制御用方法（１００）であって、
前記２つの音源のうちの第１の音源（ＡＱ１）の音声信号をある時間帯にわたって分析し、その時間帯の関数として第１のラウドネス値（ＬＷ１）を測定し、前記第１の音源（ＡＱ１）と関連付けながら、前記第１のラウドネス値（ＬＷ１）を記憶するステップ（１１０）と、
前記２つの音源のうちの第２の音源（ＡＱ２）の音声信号をある時間帯にわたって分析し、その時間帯の関数として第２のラウドネス値（ＬＷ２）を測定し、前記第２の音源（ＡＱ２）と関連付けながら、前記第２のラウドネス値（ＬＷ２）を記憶するステップ（１２０）と、
前記それぞれの第１のラウドネス値（ＬＷ１）に基づいて、前記第１の音源（ＡＱ１）の前記音声信号の音量を適応させるステップ（１３０）と、
前記それぞれの第２のラウドネス値（ＬＷ２）に基づいて、前記第２の音源（ＡＱ２）の前記音声信号の音量を適応させるステップ（１３０）と、を含み、
学習フェーズにおける前記時間帯は、各音源（ＡＱ１、ＡＱ２）に対して少なくとも３０秒、好ましくは少なくとも６０秒または１５０秒に達し、前記ラウドネスアナライザ（１２）は、ラウドネス値（ＬＷ１，ＬＷ２）が前記それぞれの音源（ＡＱ１、ＡＱ２）に対していまだ記憶されていない場合に、前記学習フェーズを実行し、適応フェーズ中の前記時間帯が、前記それぞれの音源（ＡＱ１、ＡＱ２）に対して、少なくとも５秒、または好ましくは少なくとも６０秒または３００秒に達し、前記ラウドネスアナライザ（１２）は、前記適応フェーズ中に前記第１のまたは第２のラウドネス値（ＬＷ１，ＬＷ２）を適応し、
前記第１のラウドネス値（ＬＷ１）の適応（１３０）は、前記適応フェーズ中に、それぞれのさらなる第１のラウドネス値（ＬＷ１）が測定され、前記それぞれの第１のラウドネス値（ＬＷ１）の適応は、前記それぞれのさらなる第１のラウドネス値（ＬＷ１）の総量が、前記それぞれの第１のラウドネス値（ＬＷ１）の総量に対して相殺されるように実行され、前記第２のラウドネス値（ＬＷ２）の適応（１３０）は、前記適応フェーズ中に、それぞれのさらなる第２のラウドネス値（ＬＷ２）が測定され、前記それぞれの第２のラウドネス値（ＬＷ２）の適応は、前記それぞれのさらなる第２のラウドネス値（ＬＷ２）の総量が、前記それぞれの第２のラウドネス値（ＬＷ２）の総量に対して相殺されるように実行され、
前記相殺は、前記それぞれの第１のラウドネス値（ＬＷ１）の重み付け、および前記それぞれのさらなる第１のラウドネス値（ＬＷ１）の重み付けを包含し、前記相殺は、前記それぞれの第２のラウドネス値（ＬＷ２）の重み付け、および前記それぞれのさらなる第２のラウドネス値（ＬＷ２）の重み付けを包含し、前記重み付けは、前記適応フェーズ中の前記ラウドネス値の適応が、前記学習フェーズ中の前記ラウドネス値の適応より小さい重み付けを示すように選択され、
前記音源の動作中、新しいそれぞれの第１のラウドネス値（ＬＷ１）は、前記それぞれのさらなる第１のラウドネス値（ＬＷ１）が、前記それぞれの記憶された第１のラウドネス値（ＬＷ１）から、少なくとも２％だけ偏移している場合にのみ測定されかつ記憶され、前記音源の動作中、新しいそれぞれの第２のラウドネス値（ＬＷ２）は、前記それぞれのさらなる第２のラウドネス値（ＬＷ２）が、前記それぞれの記憶された第２のラウドネス値（ＬＷ２）から、少なくとも２％だけ偏移している場合にのみ測定されかつ記憶される方法（１００）。
【請求項１３】
コンピュータプログラムであって、前記プログラムがコンピュータ上で走る場合、請求項１２に記載の前記方法（１００）を実行するためのプログラムコードを含むコンピュータプログラム。
【請求項１４】
少なくとも２つの音源（ＡＱ１、ＡＱ２）のための音量制御用装置（１０）であって、
前記２つの音源のうちの第１の音源（ＡＱ１）の音声信号をある時間帯にわたって分析し該時間帯の関数として第１のラウドネス値（ＬＷ１）を測定し、前記ラウドネス値と前記２つの音源のうちの前記第１の音源（ＡＱ１）と関連付けながら前記ラウドネス値を記憶し、前記２つの音源のうちの第２の音源（ＡＱ２）の音声信号をある時間帯にわたって分析し該時間帯の関数として第２のラウドネス値（ＬＷ２）を測定し、前記ラウドネス値と前記２つの音源のうちの前記第２の音源（ＡＱ２）と関連付けながら前記ラウドネス値を記憶するように構成されるラウドネスアナライザ（１２）と、
前記対応する第１のラウドネス値（ＬＷ１）に基づいて、前記２つの音源のうちの前記現在選択されている第１の音源（ＡＱ１）の前記音声信号を適応し、前記対応する第２のラウドネス値（ＬＷ２）に基づいて、前記２つの音源のうちの前記現在選択されている第２の音源（ＡＱ２）の前記音声信号を適応するように構成される音量レギュレータ（１４）と、を備え、
学習フェーズにおける前記時間帯は、各音源（ＡＱ１、ＡＱ２）に対して少なくとも３０秒、好ましくは少なくとも６０秒または１５０秒に達し、前記ラウドネスアナライザ（１２）は、ラウドネス値（ＬＷ１，ＬＷ２）が前記それぞれの音源（ＡＱ１、ＡＱ２）に対していまだ記憶されていない場合に、前記学習フェーズを実行し、
適応フェーズ中の前記時間帯が、前記それぞれの音源（ＡＱ１、ＡＱ２）に対して、少なくとも５秒、または好ましくは少なくとも６０秒または３００秒に達し、前記ラウドネスアナライザ（１２）は、前記適応フェーズ中に前記第１のまたは第２のラウドネス値（ＬＷ１，ＬＷ２）を適応し、
前記第１のラウドネス値（ＬＷ１）の適応（１３０）は、前記適応フェーズ中に、それぞれのさらなる第１のラウドネス値（ＬＷ１）が測定され、前記それぞれの第１のラウドネス値（ＬＷ１）の適応は、前記それぞれのさらなる第１のラウドネス値（ＬＷ１）の総量が、前記それぞれの第１のラウドネス値（ＬＷ１）の総量に対して相殺されるように実行され、前記第２のラウドネス値（ＬＷ２）の適応（１３０）は、前記適応フェーズ中に、それぞれのさらなる第２のラウドネス値（ＬＷ２）が測定され、前記それぞれの第２のラウドネス値（ＬＷ２）の適応は、前記それぞれのさらなる第２のラウドネス値（ＬＷ２）の総量が、前記それぞれの第２のラウドネス値（ＬＷ２）の総量に対して相殺されるように実行され、
前記相殺は、前記それぞれの第１のラウドネス値（ＬＷ１）の重み付け、および前記それぞれのさらなる第１のラウドネス値（ＬＷ１）の重み付けを包含し、前記相殺は、前記それぞれの第２のラウドネス値（ＬＷ２）の重み付け、および前記それぞれのさらなる第２のラウドネス値（ＬＷ２）の重み付けを包含し、
前記音源の動作中、新しいそれぞれの第１のラウドネス値（ＬＷ１）は、前記それぞれのさらなる第１のラウドネス値（ＬＷ１）が、前記それぞれの記憶された第１のラウドネス値（ＬＷ１）から、少なくとも１０％だけ偏移している場合にのみ測定されかつ記憶され、前記音源の動作中、新しいそれぞれの第２のラウドネス値（ＬＷ２）は、前記それぞれのさらなる第２のラウドネス値（ＬＷ２）が、前記それぞれの記憶された第２のラウドネス値（ＬＷ２）から、少なくとも１０％だけ偏移している場合にのみ測定されかつ記憶され、
前記重み付けは、前記それぞれのさらなる第１のラウドネス値（ＬＷ１）が、前記それぞれの記憶された第１のラウドネス値（ＬＷ１）よりも、前記それぞれの新しい第１のラウドネス値（ＬＷ１）に対する影響がより小さくなるように選択され、前記重み付けは、前記それぞれのさらなる第２のラウドネス値（ＬＷ２）が、前記それぞれの記憶された第２のラウドネス値（ＬＷ２）よりも、前記それぞれの新しい第２のラウドネス値（ＬＷ２）に対する影響がより小さくなるように選択される装置（１０）。
【国際調査報告】
2018528705.tif 000006
2018528705.tif 000007
2018528705.tif 000008
2018528705.tif 000009
2018528705.tif 000010